(57)【要約】【課題】保護用の別部品を要することなくフック構造の破損を防ぐとともに、外観デザイン性を高めることができる照明灯装置を提供すること。【解決手段】ハウジング２とその開口部周縁にフック構造によって取り付けられたアウタレンズ３によって画成された灯室Ｓ内に少なくとも光源ユニット（光源）４を収容して成る照明灯装置１において、ハウジング２の外周の内側に複数の収納空間Ｓ１を形成し、各収納空間Ｓ１に前記フック構造をそれぞれ収納する。具体的には、ハウジング２の外周部の複数箇所に、該ハウジング２の外壁２ａから内側に膨出する膨出壁２ｃをそれぞれ形成し、各膨出壁２ｃと外壁２ａによって形成される収納空間Ｓ１内に、アウタレンズ３の裏面の複数箇所に立設されたリブ状突起３ｂをそれぞれ挿入し、該リブ状突起３ｂに形成されたフック孔８とハウジング２の収納空間Ｓ１に突設されたフック爪６とでフック構造を構成する。【選択図】図２
2019003826.tif 000002
【特許請求の範囲】
【請求項１】
ハウジングとその開口部周縁にフック構造によって着脱可能に取り付けられたアウタレンズによって画成された灯室内に少なくとも光源を収容して成る照明灯装置において、
前記ハウジングの外周の内側に複数の収納空間を形成し、各収納空間に前記フック構造をそれぞれ収納したことを特徴とする照明灯装置。
【請求項２】
前記ハウジングの外周部の複数箇所に、該ハウジングの外壁から内側に膨出する膨出壁をそれぞれ形成し、各膨出壁と外壁によって形成される前記収納空間内に、前記アウタレンズの裏面の複数箇所に立設されたリブ状突起をそれぞれ挿入し、該リブ状突起と前記ハウジングの収納空間の何れか一方に形成されたフック孔と他方に形成されたフック爪によって前記フック構造を構成したことを特徴とする請求項１記載の照明灯装置。
【請求項３】
前記アウタレンズの前記収納空間に臨む部位に水抜き孔を形成したことを特徴とする請求項２記載の照明灯装置。
【請求項４】
前記ハウジングの開口部周縁の外壁に複数の位置決め突起を突設したことを特徴とする請求項２又は３記載の照明灯装置。
【発明の詳細な説明】
【技術分野】
【０００１】
本発明は、ハウジングの開口部周縁にアウタレンズをフック構造によって着脱可能に取り付けて成る照明灯装置に関するものである。
【背景技術】
【０００２】
リアコンビネーションランプ等の車両用灯具においては、ハウジングの開口部周縁にアウタレンズをフック構造によって着脱可能に取り付ける構成が採用されている（例えば、特許文献１参照）。
【０００３】
又、夜間の漁において海面を照らして魚を集めるための集魚灯等の照明灯装置においても、フック構造によってハウジングの開口部周縁にアウタレンズを着脱可能に取り付ける構成が採用されている。ここで、斯かる構成を採用した従来の集魚灯を図１２〜図１４に基づいて説明する。
【０００４】
即ち、図１２は従来の集魚灯の正面図、図１３は図１２のＥ−Ｅ線断面図、図１４は図１３のＦ部拡大詳細図であり、図示の集魚灯１０１は、ハウジング１０２とその矩形の開口部周縁にフック構造によって取り付けられたアウタレンズ１０３によって画成された灯室Ｓ（図１３参照）内にＬＥＤ等の不図示の光源を収容して構成されている。
【０００５】
ここで、図１４に示すように、上記ハウジング１０２の外周部にはリブ状の外壁１０２ａと内壁１０２ｂが全周に亘って立設されており、これらの外壁１０２ａと内壁１０２ｂとの間に形成された嵌合溝１０７に、アウタレンズ１０３の外周に沿って立設されたシールリブ１０３ａが差し込まれ、嵌合溝１０７に充填されたホットメルト等のシール剤１１０によってハウジング１０２とアウタレンズ１０３との嵌合部に高いシール性が確保されている。
【０００６】
そして、図１２に示すように、ハウジング１０２の外周部の４箇所には、外方に向かって膨出する膨出部１０２ｃがそれぞれ形成されており、図１４に示すように、各膨出部１０２ｃにおける外壁１０２ａの外面にはフック爪１０６がそれぞれ一体に突設されている。又、アウタレンズ１０３の外周部の各フック爪１０６に対応する箇所にはフック孔１０８がそれぞれ形成されており、これらのフック孔１０８とハウジング１０２側のフック爪１０６によってフック構造が構成されている。
【０００７】
而して、図１４に示すように、ハウジング１０２側の各フック爪１０６をアウタレンズ１０３側の各フック孔１０８にそれぞれ係合させることによって、アウタレンズ１０３がハウジング１０２の開口部周縁に着脱可能に取り付けられる。
【先行技術文献】
【特許文献】
【０００８】
【特許文献１】特開２０１２−１７４３８１号公報
【発明の概要】
【発明が解決しようとする課題】
【０００９】
しかしながら、図１２〜図１４に示す従来の集魚灯１０１においては、ハウジング１０２側に形成されたフック爪１０６とアウタレンズ１０３側に形成されたフック孔１０８によって構成されたフック構造が当該集魚灯１０１の外形よりも外側に露出しているため、外部からの衝撃によってフック構造が破損する可能性がある。このような問題の発生を防ぐためには、フック構造を保護カバー等の別部品で覆って保護する必要があり、部品点数の増加とコストアップを招くという問題が発生する。
【００１０】
又、フック構造が集魚灯１０１の外形よりも外側に露出しているため、当該集魚灯１０１の外観デザイン性が低下するという問題もある。
【００１１】
本発明は上記問題に鑑みてなされたもので、その目的とする処は、保護用の別部品を要することなくフック構造の破損を防ぐとともに、外観デザイン性を高めることができる照明灯装置を提供することにある。
【課題を解決するための手段】
【００１２】
上記目的を達成するため、請求項１記載の発明は、ハウジングとその開口部周縁にフック構造によって着脱可能に取り付けられたアウタレンズによって画成された灯室内に少なくとも光源を収容して成る照明灯装置において、前記ハウジングの外周の内側に複数の収納空間を形成し、各収納空間に前記フック構造をそれぞれ収納したことを特徴とする。
【００１３】
請求項２記載の発明は、請求項１記載の発明において、前記ハウジングの外周部の複数箇所に、該ハウジングの外壁から内側に膨出する膨出壁をそれぞれ形成し、各膨出壁と外壁によって形成される前記収納空間内に、前記アウタレンズの裏面の複数箇所に立設されたリブ状突起をそれぞれ挿入し、該リブ状突起と前記ハウジングの収納空間の何れか一方に形成されたフック孔と他方に形成されたフック爪によって前記フック構造を構成したことを特徴とする。
【００１４】
請求項３記載の発明は、請求項２記載の発明において、前記アウタレンズの前記収納空間に臨む部位に水抜き孔を形成したことを特徴とする。
【００１５】
請求項４記載の発明は、請求項２又は３記載の発明において、前記ハウジングの開口部周縁の外壁に複数の位置決め突起を突設したことを特徴とする。
【発明の効果】
【００１６】
請求項１及び２記載の発明によれば、ハウジングの外周の内側に形成された複数の収納空間にフック構造をそれぞれ収納したため、フック構造が当該照明灯装置の外形の外側に露出することがなく、フック構造はハウジングによって保護される。このため、保護用の別部品を要することなくフック構造の破損を防ぐことができる。又、フック構造が照明灯装置の外形の外側に露出することがないため、当該照明灯装置の外観デザイン性が高められる。
【００１７】
請求項３記載の発明によれば、アウタレンズの収納空間に臨む部位に水抜き用孔を形成したため、収納空間内に浸入した水が水抜き孔から排出され、収納空間に水が溜まることがない。
【００１８】
請求項４記載の発明によれば、ハウジングの開口部周縁の外壁に突設された複数の位置決め突起によってアウタレンズがハウジングに対して正確に位置決めされて取り付けられる。
【図面の簡単な説明】
【００１９】
【図１】本発明に係る照明灯装置の斜視図である。
【図２】本発明に係る照明灯装置の正面図である。
【図３】本発明に係る照明灯装置の側面図である。
【図４】図２のＡ−Ａ線断面図である。
【図５】図４のＢ部拡大詳細図である。
【図６】図２のＣ−Ｃ線拡大断面図である。
【図７】本発明に係る照明灯装置のハウジングの正面図である。
【図８】本発明に係る照明灯装置のハウジングの側面図である。
【図９】本発明に係る照明灯装置のアウタレンズの裏面図である。
【図１０】本発明に係る照明灯装置のアウタレンズの側面図である。
【図１１】図１０のＤ部拡大詳細図である。
【図１２】従来の集魚灯の正面図である。
【図１３】図１２のＥ−Ｅ線断面図である。
【図１４】図１３のＦ部拡大詳細図である。
【発明を実施するための形態】
【００２０】
以下に本発明の実施の形態を添付図面に基づいて説明する。
【００２１】
図１は本発明に係る照明灯装置の斜視図、図２は同照明灯装置の正面図、図３は同照明灯装置の側面図、図４は図２のＡ−Ａ線断面図、図５は図４のＢ部拡大詳細図、図６は図２のＣ−Ｃ線拡大断面図、図７はハウジングの正面図、図８は同ハウジングの側面図、図９はアウタレンズの裏面図、図１０は同アウタレンズの側面図、図１１は図１０のＤ部拡大詳細図である。
【００２２】
本実施の形態に係る照明灯装置１は、夜間の漁に用いられる集魚灯として機能するものであって、図１に示すように、矩形ブロック状のハウジング２と、該ハウジング２の矩形の開口部周縁にフック構造によって着脱可能に取り付けられるアウタレンズ３と、ハウジング２とアウタレンズ３によって画成される灯室Ｓ（図４参照）に収容される４つの光源ユニット４と各光源ユニット４の周囲を覆う矩形平板状のエクステンション５を含んで構成されている。
【００２３】
上記ハウジング２は、熱伝導率の高いアルミダイカスト製の部品であって、全体がヒートシンクを構成しており、矩形平板状のベースプレート２Ａの背面に複数の薄い矩形平板状の放熱フィン２Ｂを垂直に立設して構成されている。そして、ベースプレート２Ａの外周縁には、図１、図５、図７及び図８に示すように、リブ状の外壁２ａが正面側（図７の手前側）に向かって垂直に立設されており、この外壁２ａの内側には同じくリブ状の内壁２ｂが正面側に向かって垂直に立設されている。
【００２４】
ここで、図７に示すように、外壁２ａの１０箇所、具体的には外壁２ａの相対向する長辺側の各３箇所と短辺側の相対向する各２箇所の計１０箇所には、内側に向かって膨出する膨出壁２ｃがそれぞれ形成されており、各膨出壁２ｃと外壁２ａとの間には正面視台形状の収納空間Ｓ１がそれぞれ形成されている。そして、図５、図６及び図７に示すように、ハウジング２の各膨出壁２ｃの収納空間Ｓ１に臨む内面の中央部には、フック爪６がそれぞれ一体に突設されている。尚、各収納空間Ｓ１は、図５に示すように、ハウジング２を貫通する貫通孔として形成されており、その背面側の一端（図５の右端）は、ベースプレート２Ａの裏面に開口している。
【００２５】
而して、ハウジング２のベースプレート２Ａには、内壁２ｂによって囲まれた矩形の開口部が正面側に向かって開口しており、この開口部の周縁に沿って立設された内壁２ｂの一部（収納空間Ｓ１が形成された１０箇所）には、膨出壁２ｃの形状に倣って内側に膨出する膨出部２ｂ１が形成されている。そして、図５及び図７に示すように、ハウジング２の開口部周縁に沿って立設された外壁２ａ及び膨出壁２ｃと内壁２ｂとの間には嵌合溝７が形成されている。又、図７及び図８に示すように、ハウジング２の外壁２ａの複数箇所には、高さの低い矩形リブ状の位置決め突起２ｄが一体に立設されている。
【００２６】
前記アウタレンズ３は、アクリルやポリカーボネイト等の透明樹脂によって一体成形されており、その外周縁に沿って形成された平坦な矩形枠状のフランジ部３Ａには、ハウジング２の周縁に形成された前記嵌合溝７に沿った形状を有するシールリブ３ａが裏面側（図９の手前側）に向かって垂直に立設されている。そして、図９に示すように、このシールリブ３ａの複数箇所（ハウジング２の膨出壁２ｃに対応する１０箇所）には、ハウジング２の膨出壁２ｃの形状に倣って内側に向かって膨出する膨出部３ａ１がそれぞれ形成されており、フランジ部３Ａの各膨出部３ａ１の外側の部分には、図１０及び図１１に示すように、矩形平板状のリブ状突起３ｂがそれぞれ裏面側（図９の手前側）に向かって直角に立設されている。
【００２７】
而して、アウタレンズ３のフランジ部３Ａに裏面側に向かって一体に立設された複数の各リブ状突起３ｂには、図１０及び図１１に示すように、矩形のフック孔８がそれぞれ形成されており、このフック孔８とハウジング２側に形成された前記フック爪６（図５〜図７参照）は、アウタレンズ３をハウジング２の開口部周縁に着脱可能に取り付けるためのフック構造を構成している。ここで、図５及び図６に示すように、アウタレンズ３においては、フランジ部３Ａのリブ状突起３ｂが形成された複数箇所には、図２、図５及び図６に示すように、矩形の水抜き孔９がそれぞれ形成されている。尚、アウタレンズ３のフランジ部３Ａによって囲まれた中央部３Ｂは、図１０に示すように、正面側（図１０の上側）に向かって膨出する円弧曲面状を成している。
【００２８】
而して、アウタレンズ３をハウジング２の開口部周縁にフック構造によって取り付けるには、図５に示すように、ハウジング２の周縁に沿って形成された嵌合溝７にホットメルト等のシール剤１０を充填しておき、アウタレンズ３をハウジング２の開口部を正面側から覆うように被せる。すると、ハウジング２の嵌合溝７にアウタレンズ３の周縁に沿って立設されたシールリブ３ａが図５に示すように差し込まれるとともに、アウタレンズ３に突設された複数の各リブ状突起３ｂがハウジング２の各収納空間Ｓ１内に挿入される。
【００２９】
上記状態からアウタレンズ３をハウジング２側に押し込むと、図５及び図６に示すように、アウタレンズ３側の複数の各フック孔８にハウジング２側のフック爪６が係合するため、図２〜図４に示すように、アウタレンズ３がハウジング２の開口部周縁にフック構造によってワンタッチで簡単に取り付けられ、両者の間に前記灯室（図４参照）が画成される。尚、アウタレンズ３とハウジング２との取付部には、ハウジング２の嵌合溝７に充填されたホットメルト等のシール剤１０（図５参照）によって高いシール性が確保される。又、ハウジング２の開口部周縁の外壁２ａに複数の位置決め突起２ｄ（図８参照）を突設したため、これらの位置決め突起２ｄによってアウタレンズ３がハウジング２に対して正確に位置決めされて取り付けられる。
【００３０】
複数の前記各光源ユニット４は、矩形平板状の基板１１に複数（４×１１＝４４個）のＬＥＤ（発光ダイオード）１２をマトリックス状に実装して構成されている。尚、本実施の形態では、各ＬＥＤ１２には白色ＬＥＤが使用されており、その光出射方向は正面方向とされている。
【００３１】
又、４つの光源ユニット４の周囲を覆う前記エクステンション５は、図１に示すように、ハウジング２の内壁２ｂの形状に沿った外形を有しており、これには各光源ユニット４が露出するための４つの矩形孔５ａが形成されている。
【００３２】
而して、本実施の形態においては、集魚灯として機能する照明灯装置１は、ハウジング２とその開口部周縁にフック構造によって取り付けられたアウタレンズ３によって画成された灯室Ｓ（図４参照）に４つの光源ユニット４とエクステンション５を収容して図２〜図４に示すように構成されるが、実際の使用においては、当該照明灯装置１は、アウタレンズ３が海面に向くように斜めに傾斜した状態で設置される。この状態において各光源ユニット４の複数のＬＥＤ１２に不図示の電源から電流が供給されると、各ＬＥＤ１２が起動された発光し、その光（本実施の形態では白色光）がアウタレンズ３を透過して夜の海面に向かって照射され、この光に魚が集まるために夜間での操業が可能となる。尚、光源ユニット４の各ＬＥＤ１２が発光することによって各光源ユニット８には熱が発生するが、この熱は、ヒートシンクの機能を有するハウジング２のベースプレート２Ａから複数の放熱フィン２Ｂへと伝導し、各放熱フィン２Ｂから外気へと放熱されるため、各ＬＥＤ１２の温度上昇が低く抑えられ、各ＬＥＤ１２の発光効率と耐久寿命の低下が防がれる。
【００３３】
以上において、本実施の形態に係る照明灯装置１においては、ハウジング２側に形成された複数のフック爪６とアウタレンズ３側に形成された複数のフック孔８によってフック構造を構成し、このフック構造をハウジング２の外周の内側に形成された複数の収納空間Ｓ１にそれぞれ収納したため、フック構造が当該照明灯装置１の外形の外側に露出することがなく、フック構造はハウジング２の外壁２ａによって保護される。このため、照明灯装置１が外部から衝撃を受けても、フック構造が衝撃によって破損することがない。この結果、フック構造を保護するための保護カバー等の別部品を設ける必要がなく、部品点数を削減して当該照明灯装置１のコストダウンを図ることができる。又、フック構造が照明灯装置１の外形の外側に露出することがないため、当該照明灯装置１の外観デザイン性が高められるという効果も得られる。
【００３４】
更に、集魚灯として使用される照明灯装置１は、アウタレンズ３を下にして使用されるため、ハウジング２のベースプレート２Ａに開口する収納空間Ｓ１に水が浸入しても、この水は、アウタレンズ３のフランジ部３Ａに形成された水抜き孔９から排出され、収納空間Ｓ１に水が溜まることがない。
【００３５】
尚、以上の実施の形態では、フック構造の構成において、ハウジング２側にフック爪６を形成し、アウタレンズ３側にフック孔８を形成したが、これとは逆にハウジング２側にフック孔を形成し、アウタレンズ３側にフック爪を形成しても良い。又、以上の実施の形態では、フック爪６をハウジング２の膨出壁２ｃ側に突設したが、外壁２ａの各収納空間Ｓ１に臨む内面にフック爪６を突設しても良い。
【００３６】
ところで、以上は集魚灯として使用される照明灯装置１に対して本発明を適用した形態について説明したが、本発明は、集魚灯以外の用途に供される任意の照明灯装置に対しても同様に適用可能であることは勿論である。
【符号の説明】
【００３７】
１        照明灯装置
２        ハウジング
２Ａ      ハウジングのベースプレート
２Ｂ      ハウジングの放熱フィン
２ａ      ハウジングの外壁
２ｂ      ハウジングの内壁
２ｃ      ハウジングの膨出壁
２ｄ      ハウジングの位置決め突起
３        アウタレンズ
３Ａ      アウタレンズのフランジ部
３Ｂ      アウタレンズの中央部
３ａ      アウタレンズのシールリブ
３ｂ      アウタレンズのリブ状突起
４        光源ユニット
５        エクステンション
５ａ      エクステンションの矩形孔
６        フック孔
７        ハウジングの嵌合孔
８        フック孔
９        アウタレンズの水抜き孔
１０      シール剤
１１      基板
１２      ＬＥＤ（光源）
Ｓ        灯室
Ｓ１      収納空間
【図１】
2019003826.tif 000003
【図２】
2019003826.tif 000004
【図３】
2019003826.tif 000005
【図４】
2019003826.tif 000006
【図５】
2019003826.tif 000007
【図６】
2019003826.tif 000008
【図７】
2019003826.tif 000009
【図８】
2019003826.tif 000010
【図９】
2019003826.tif 000011
【図１０】
2019003826.tif 000012
【図１１】
2019003826.tif 000013
【図１２】
2019003826.tif 000014
【図１３】
2019003826.tif 000015
【図１４】
2019003826.tif 000016